(57)【要約】【課題】本発明は、洗濯物などの干し物の乾燥時間の短縮化を図ることができる物干し補助具及びそれを備えた物干し部材を提供することを目的とする。【解決手段】物干し補助具１は、物干し部材の端部から物干し部材を差し込み可能な物干し差込口３ａと、物干し差込口３ａの下方でハンガーのフックを引っ掛けてハンガーを吊下げるハンガー吊下げ部５とを有している。ハンガー吊下げ部５は、物干し差込口３ａを含む平面と交差する仮想平面α内でのフックの回転を抑制する。【選択図】図２
2016010663.tif 000002
【特許請求の範囲】
【請求項１】
物干し部材の端部から前記物干し部材を差し込み可能な物干し差込口と、
前記物干し差込口の下方でハンガーのフックを引っ掛けて前記ハンガーを吊下げるハンガー吊下げ部とを備え、
前記ハンガー吊下げ部は、前記物干し差込口を含む平面と交差する仮想平面内での前記フックの回転を抑制すること
を特徴とする物干し補助具。
【請求項２】
前記ハンガー吊下げ部は、
前記フックを保持するフック保持部を有し、
前記フック保持部の内壁で前記回転を抑制すること
を特徴とする請求項１記載の物干し補助具。
【請求項３】
前記ハンガー吊下げ部は、少なくとも一部が前記内壁で囲まれて前記フックを挿入するフック挿入部を有すること
を特徴とする請求項２記載の物干し補助具。
【請求項４】
前記フック挿入部は、前記物干し差込口とは重ならない位置に配置され、前記物干し差込口の開口とは異なる向きに開口していること
を特徴とする請求項３記載の物干し補助具。
【請求項５】
前記フック挿入部は、前記フック保持部の先端側に近付くほど幅が狭く形成されていること
を特徴とする請求項３又は４に記載の物干し補助具。
【請求項６】
前記内壁は、前記フック挿入部を挟んで配置された第１壁面及び第２壁面を有し、
前記第１壁面と前記第２壁面とは、前記回転を協働して抑制すること
を特徴とする請求項３から５までのいずれか一項に記載の物干し補助具。
【請求項７】
前記物干し差込口から差し込まれた前記物干し部材が通過する空間部の周囲の少なくとも一部に配置され、前記ハンガー吊下げ部を前記物干し部材に支持する支持部を有すること
を特徴とする請求項１から６までのいずれか一項に記載の物干し補助具。
【請求項８】
前記支持部は、前記物干し部材に対して前記ハンガー吊下げ部が移動するのを防止する移動防止部を有すること
を特徴とする請求項７記載の物干し補助具。
【請求項９】
前記移動防止部は、前記空間部に向かって突出する突出部を有すること
を特徴とする請求項８記載の物干し補助具。
【請求項１０】
請求項１から９までのいずれか一項に記載の物干し補助具を備えていることを特徴とする物干し部材。
【発明の詳細な説明】
【技術分野】
【０００１】
本発明は、物干し竿など物干し部材に取り付けて用いられる物干し補助具及びそれを備えた物干し部材に関する。
【背景技術】
【０００２】
従来、洗濯物などの干し物の乾燥時間を短くするために、物干し竿などに取り付けて用いられる物干し補助具が知られている（特許文献１から３）。
【先行技術文献】
【特許文献】
【０００３】
【特許文献１】特開２００１−９６０９２号公報
【特許文献２】特許第４００２９０８号公報
【特許文献３】実用新案登録第３０８３９９８号公報
【発明の概要】
【発明が解決しようとする課題】
【０００４】
物干し竿等に複数の干し物を掛けた場合、風などによって干し物が揺れ動いて干し物同士が重なって干し物の下方で空気が流れにくくなってしまい、干し物の乾燥に長時間を要するという問題がある。
【０００５】
本発明の目的は、洗濯物などの干し物の乾燥時間の短縮化を図ることができる物干し補助具及びそれを備えた物干し部材を提供することにある。
【課題を解決するための手段】
【０００６】
本発明の一態様による物干し補助具は、物干し部材の端部から前記物干し部材を差し込み可能な物干し差込口と、前記物干し差込口の下方でハンガーのフックを引っ掛けて前記ハンガーを吊下げるハンガー吊下げ部とを備え、前記ハンガー吊下げ部は、前記物干し差込口を含む平面と交差する仮想平面内での前記フックの回転を抑制することを特徴とする。
【０００７】
前記ハンガー吊下げ部は、前記フックを保持するフック保持部を有し、前記フック保持部の内壁で前記回転を抑制してもよい。
前記ハンガー吊下げ部は、少なくとも一部が前記内壁で囲まれて前記フックを挿入するフック挿入部を有していてもよい。
前記フック挿入部は、前記物干し差込口とは重ならない位置に配置され、前記物干し差込口の開口とは異なる向きに開口していてもよい。
前記フック挿入部は、前記フック保持部の先端側に近付くほど幅が狭く形成されていてもよい。
前記内壁は、前記フック挿入部を挟んで配置された第１壁面及び第２壁面を有し、前記第１壁面と前記第２壁面とは、前記回転を協働して抑制してもよい。
【０００８】
前記物干し差込口から差し込まれた前記物干し部材が通過する空間部の周囲の少なくとも一部に配置され、前記ハンガー吊下げ部を前記物干し部材に支持する支持部を有していてもよい。
前記支持部は、前記物干し部材に対して前記ハンガー吊下げ部が移動するのを防止する移動防止部を有していてもよい。
前記移動防止部は、前記空間部に向かって突出する突出部を有していてもよい。
【０００９】
本発明の一態様による物干し部材は、上記一態様による物干し補助具を備えていることを特徴とする。
【発明の効果】
【００１０】
本発明によれば、洗濯物などの干し物を乾燥時間の短縮化を図ることができる。
【図面の簡単な説明】
【００１１】
【図１】本発明の一実施形態による物干し補助具１の使用態様を示す図である。
【図２】本発明の一実施形態による物干し補助具１の外観斜視図である。
【図３】本発明の一実施形態による物干し補助具１の正投影図及び断面図である。
【図４】本発明の一実施形態による物干し補助具１のハンガーのフックの回転を抑制する機構について説明する図である。
【発明を実施するための形態】
【００１２】
本発明の一実施形態による物干し補助具について図１から図４を用いて説明する。図１は、本実施形態による物干し補助具１の使用態様を示す図である。
図１に示すように、物干し補助具１は、例えば支持部３の物干し差込口３ａから物干し竿１１の端部を差し込んで物干し竿１１に装着されて使用される。物干し補助具１は、物干し竿１１から着脱することも可能ではあるが、通常は物干し竿１１に所定間隔で取り付けた状態で維持される。すなわち、物干し竿１１は、物干し補助具１を使用しない場合（例えば、布団を干す場合）であっても物干し補助具１を備えている状態で使用される。物干し補助具１は、ハンガー吊下げ部５に設けられたフック挿入部５ｃにハンガーのフック（不図示）を挿入して引っ掛けるようになっている。これにより、物干し補助具１は、物干し竿１１の下方にハンガーに掛けられた干し物を吊下げることができる。なお、本実施形態による物干し補助具の吊下げ対象のハンガーは、干し物を掛ける本体部に対してフックが回転しない態様のハンガーである。
【００１３】
次に、物干し補助具１の概略構成について図２及び図３を用いて説明する。図２は、本実施形態による物干し補助具１の外観斜視図である。図２（ａ）は、物干し補助具１を正面上方から見た斜視図であり、図２（ｂ）は、物干し補助具１を正面下方から見た斜視図であり、図２（ｃ）は、物干し補助具１を右側面上方から見た斜視図であり、図２（ｄ）は、物干し補助具１を右側面下方から見た斜視図である。図３は、物干し補助具１の正投影図及び断面図である。図３中の上段には平面図が示され、中段には、左側面図、正面図、右側面図、背面図及び断面図が左からこの順に示され、下段には、底面図が示されている。なお、断面図は、正面図に示すＡ−Ａ線で物干し補助具１を切断した断面を示す図である。また、図２及び図３には、理解を容易にするため、後述する仮想平面αが破線で図示されている。
【００１４】
図２及び図３に示すように、物干し補助具１は、物干し部材（例えば図１に示す物干し竿１１）の端部からこの物干し部材を差し込み可能な物干し差込口３ａと、物干し差込口３ａを備えた支持部３と、物干し差込口３ａの下方でハンガーのフック（不図示）を引っ掛けてハンガーを吊下げるハンガー吊下げ部５とを有している。詳細は後述するが、ハンガー吊下げ部５は、物干し差込口３ａを含む平面と交差する仮想平面α内でのハンガーのフックの回転を抑制するようになっている。
【００１５】
支持部３は、肉厚の薄い円筒形状を有している。支持部３の両端部には、物干し差込口３ａが設けられている。図３中の左側面図及び右側面図に示すように、支持部３は、左側面及び右側面の両方に物干し差込口３ａを有している。物干し差込口３ａは円形状を有している。支持部３は、物干し差込口３ａから差し込まれた物干し部材が通過する空間部３ｃを有している。支持部３は、両端部に物干し差込口３ａを有しているので、一方の物干し差込口３ａから差し込まれた物干し部材の端部を空間部３ｃを介して他方の物干し差込口３ａから外部に取り出すことができるようになっている。すなわち、物干し補助具１は、支持部３に物干し部材を貫通させることができる。支持部３の内壁３ｂの表面は、物干し部材の外表面に倣う形状に形成されている。本実施形態による物干し補助具１は、図１に示すように、装着対象が物干し竿である。このため、内壁３ｂの表面は、円柱形状の物干し竿の外表面に倣う曲面形状（本例では円筒の内表面形状）に形成されている。
【００１６】
支持部３は、物干し部材を空間部３ｃ内を通過させることによって、ハンガー吊下げ部５を物干し部材に支持するようになっている。物干し差込口３ａの中心から外周囲までの長さと、支持部３の中心軸から内壁３ｂまでの長さは、物干し補助具１の装着対象の物干し竿などの半径よりも若干長く形成されている。これにより、支持部３は、物干し部材を空間部３ｃを通過させることができる。
【００１７】
支持部３は、干し物部材に対してハンガー吊下げ部５が移動するのを防止する移動防止部７を有している。移動防止部７は、支持部３の外壁の一部である基板部７ａと、空間部３ｃ側の基板部７ａ上に形成され空間部３ｃに向かって突出する突出部７ｂとを有している。図３中の背面図に示すように、支持部３の外壁を貫通するＵ字状の孔部３ｄを支持部３の外壁に形成することにより、孔部３ｄの内側領域に位置する支持部３の外壁が基板部７ａとなる。基板部７ａは、孔部３ｄによって外周囲のうちの三方が囲まれている。また、図３中の左側面図及び右側面図に示すように、突出部７ｂは、内壁３ｂの壁面に対して空間部３ｃに向かって突出している。支持部３の中心軸から内壁３ｂまでの長さと、支持部３の中心軸から突出部７ｂまでの長さとの間の半径を有する物干し部材（例えば物干し竿）が空間部３ｃに挿入されるとする。突出部７ｂは空間部３ｃに向かって突出しているため、突出部７ｂが物干し部材によって支持部３の中心軸に対して径方向に力を受ける。そうすると、移動防止部７は、基板部７ａの外周囲のうちの孔部３ｄで囲まれていない辺を中心軸として外側に向かって回転する力を受ける。ところが、物干し補助具１は、例えば樹脂で形成されているため、弾性変形により元の状態に戻ろうとする。これにより、突出部７ｂは、物干し部材の外表面を押さえ付ける。物干し部材は、突出部７ｂと突出部７ｂに対向する内壁３ｂとによって挟まれる。これにより、物干し補助具１は、吊下げている干し物が風などによって揺り動かされても物干し部材上で移動するのが防止される。したがって、複数の物干し補助具１は、吊下げている干し物が揺り動かされたとしても、物干し部材に装着された当初の間隔を維持できる。
【００１８】
ハンガー吊下げ部５は、物干し差込口３ａを含む平面と交差（例えば直交）する仮想平面α内でのハンガーのフックの回転を抑制するようになっている。ハンガー吊下げ部５は、フックを保持するフック保持部５ａを有し、フック保持部５ａの内壁５ｂでフックの回転を抑制するようになっている。フック保持部５ａは、平板状部材の中央部で折り返すとともに両端部を物干し補助具１の底面側の支持部３の外表面に接続した形状を有している。フック保持部５ａは、この平板状部材の中央部から両端部に向かう一定領域では中央部から広がり、残余の領域では対向配置される形状に形成されている。この平板状部材が広がるように形成された一定領域がフック保持部５ａの端部となる。
【００１９】
ハンガー吊下げ部５は、少なくとも一部がフック保持部５ａの内壁５ｂで囲まれてハンガーのフックを挿入するフック挿入部５ｃを有している。本例では、フック挿入部５ｃは、フック保持部５ａの内壁５ｂと、支持部３の底面側の外表面の一部とで囲まれている。これにより、フック挿入部５ｃは、物干し補助具１の正面側及び背面側を開口した形状を有する。フック挿入部５ｃは、物干し差込口３ａとは重ならない位置に配置され、物干し差込口３ａの開口とは異なる向きに開口している。すなわち、フック挿入部５ｃは、物干し差込口３ａから物干し補助具１の底面側にずれて配置されている。さらに、フック挿入部５ｃの開口は、物干し差込口３ａの開口に対して９０°回転している。上述のとおり、フック保持部５ａは、平板状部材の中央部から両端部に向かう一定領域では中央部から広がるように形成されている。これにより、フック挿入部５ｃは、フック保持部５ａの先端側に近付くほど幅が狭く形成される。
【００２０】
フック保持部５ａの内壁５ｂは、フック挿入部５ｃを挟んで配置された第１壁面５１及び第２壁面５３を有している。第１壁面５１と第２壁面５３とは、フック保持部５ａの先端側から支持部３側に向かう一定領域では互いに遠ざかる方向に傾斜し、残余の領域では所定の間隙を設けて対向配置されている。第１及び第２壁面５１，５３は、この残余の領域において仮想平面αに直交して配置されている。
【００２１】
物干し補助具１は、フック保持部５ａの先端側の内壁５ｂがこの先端側に向かって凸形状に形成されることにより、フックの直径が異なる複数種類のハンガーを物干し部材に対して吊下げることができる。ハンガーは、自重及びこのハンガーに掛けられた干し物の重量によって鉛直下方に向かう力と、フック保持部５ａの内壁５ｂからフックが鉛直上方に向かって受ける力との均衡の取れた最適な位置でフック保持部５ａに保持される。ハンガーの自重などにより、フック保持部５ａの内壁５ｂがハンガーと接触する位置は、フックの直径が短くなるほどフック保持部５ａの先端側にずれる。物干し補助具１は、ハンガーのフックの直径に応じて内壁５ｂの傾斜した領域で力の均衡の取れた最適な位置を形成できる。これにより、物干し補助具１は、支持部３側におけるフック挿入部５ｃの幅より若干短い直径のフックを有するハンガーから、フック保持部５ａの先端側のフック挿入部５ｃの幅より若干短い直径のフックを有するハンガーまで、物干し差込口３ａを含む平面と交差する仮想平面α内でのフックの回転を抑制できる。
【００２２】
次に、ハンガーのフックの回転を抑制する機構について図２及び図３を参照しつつ、図４を用いて説明する。図４は、物干し補助具１に掛けられたハンガーのフックと支持部３との間の所定位置における仮想平面αに沿ってハンガー吊下げ部５を切断した切断面を模式的に示す図である。図４（ａ）は、フック挿入部５ｃの最大幅より若干短い幅のフック１５がフック保持部５ａに掛けられた状態を示している。図４（ｂ）は、フック挿入部５ｃの最小幅より若干長い幅のフック１７がフック保持部５ａに掛けられた状態を示している。図４（ａ）及び図４（ｂ）において、仮想平面α内で回転していないフック１５及びフック１７は破線で図示され、仮想平面α内で回転しているフック１５及びフック１７は実線で図示されている。
【００２３】
図４（ａ）に示すように、フック１５が内壁５ｂの第１壁面５１及び第２壁面５３に触れない状態でフック挿入部５ｃに掛けられているときに、例えば風などでハンガーが右回りに揺れ動いたとする。仮想平面α内でハンガーが右回りに回転すると、フック１５も仮想平面α内で右回りに回転する。フック１５が仮想平面α内で角度「θ」だけ回転すると、フック１５の左側面の一部は、第１壁面５１の角部Ｃ１１と接触し、フック１５の右側面の一部は、第２壁面５３の角部Ｃ３２と接触する。ここで、角度「θ」は、フック１５の中心Ｏを通りフック１５の長手方向に平行な直線が、仮想平面α内で中心Ｏを回転軸として回転した角度である。なお、フック１５の長手方向に平行な直線が第１及び第２壁面５１，５３に平行な状態を、角度「θ」＝「０」とする。なお、中心Ｏに対して右回りを正方向とし、左回りを負方向とする。図４（ａ）では理解を容易にするため、角度「θ」は、フック１５の左側面をこの直線と看做して図示されている。
【００２４】
フック保持部５ａは、ハンガーの揺れ動きに応じて回転するフック１５から力を受けても変形しない程度の剛性を有している。このため、フック１５は、角度「θ」以上には回転できない。フック１５は、角部Ｃ１１及び角部Ｃ３２からの反作用により、仮想平面α内で中心Ｏを回転軸として左回りに回転する。図示は省略するが、フック１５は左回りに角度「−θ」だけ回転すると、フック１５の左側面の一部は、第１壁面５１の角部Ｃ１２と接触し、フック１５の右側面の一部は、第２壁面５３の角部Ｃ３１と接触する。フック１５は、角部Ｃ１２及び角部Ｃ３１によって角度「−θ」以上には回転できない。
【００２５】
このように、ハンガー吊下げ部５は、仮想平面α内におけるフック１５の回転を角度「２θ」の範囲内に抑制することができる。第１及び第２壁面５１，５３は、フック１５の回転方向とは反対方向に力を加え、フック１５の回転が所定範囲に収まるように協働して抑制するようになっている。
【００２６】
図４（ｂ）に示すように、フック１７が内壁５ｂの第１壁面５１及び第２壁面５３に触れない状態でフック挿入部５ｃに掛けられているときに、例えば風などでハンガーが右回りに揺れ動いたとする。仮想平面α内でハンガーが右回りに回転すると、フック１７も仮想平面α内で右回りに回転する。フック１７が仮想平面α内で角度「φ」だけ回転すると、フック１７の左側面の一部は、第１壁面５１の角部Ｃ１１と接触し、フック１７の右側面の一部は、第２壁面５３の角部Ｃ３２と接触する。ここで、角度「φ」は、フック１７の中心Ｏを通りフック１７の長手方向に平行な直線が、仮想平面α内で中心Ｏを回転軸として回転した角度である。なお、フック１７の長手方向に平行な直線が第１及び第２壁面５１，５３に平行な状態を、角度「φ」＝「０」とする。なお、中心Ｏに対して右回りを正方向とし、左回りを負方向とする。図４（ｂ）では理解を容易にするため、角度「φ」は、フック１７の左側面をこの直線と看做して図示されている。
【００２７】
フック保持部５ａは、ハンガーの揺れ動きに応じて回転するフック１７から力を受けても変形しない程度の剛性を有している。このため、フック１７は、角度「φ」以上には回転できない。フック１７は、角部Ｃ１１及び角部Ｃ３２からの反作用により、仮想平面α内で中心Ｏを回転軸として左回りに回転する。図示は省略するが、フック１７は左回りに角度「−φ」だけ回転すると、フック１７の左側面の一部は、第１壁面５１の角部Ｃ１２と接触し、フック１７の右側面の一部は、第２壁面５３の角部Ｃ３１と接触する。フック１７は、角部Ｃ１２及び角部Ｃ３２によって角度「−φ」以上には回転できない。
【００２８】
このように、ハンガー吊下げ部５は、仮想平面α内におけるフック１５の回転を角度「２φ」の範囲内に抑制することができる。第１及び第２壁面５１，５３は、フック１７の回転方向とは反対方向に力を加え、フック１７の回転が所定範囲内に収まるように協働して抑制するようになっている。
【００２９】
図４（ａ）及び図４（ｂ）に示すように、ハンガー吊下げ部５は、フックの幅が太いほど、フックの回転角をより小さい角度に抑制できる。また、図４（ｂ）では、干し物が相対的に強い風力の風によって揺り動かされ、フック１７が内壁５ｂの端部の傾斜部を乗り上げてフック挿入部５ｃの最大幅の範囲で回転した例を示している。しかしながら、干し物が相対的に弱い風力の風によって揺り動かされると、フック１７が内壁５ｂの端部の傾斜部を乗り上げるだけの回転力を受けない場合がある。この場合、フック１７は、内壁５ｂの端部の傾斜部によって回転が抑制される。傾斜部の幅は最大幅より狭いので、ハンガー吊下げ部５は、回転角「２φ」よりも小さい角度範囲でフック１７の回転を抑制できる場合がある。
【００３０】
次に、本実施形態による物干し補助具１の使用方法について図１から図４を再び用いて説明する。
物干し補助具１は、例えば物干し竿１１（図１参照）に取り付けた状態で販売されている。このため、使用者は、ハンガー吊下げ部５を鉛直下方に向けた状態で物干し竿１１を物干し台に配置するだけで、物干し補助具１の設置を完了できる。その後、干し物が掛けられたハンガーのフックを、フック挿入部５ｃに挿入してフック保持部５ａに引っ掛けて保持させる。支持部３の肉厚は薄めに形成されているので、物干し補助具１は、支持部３の外表面と物干し竿１１の外表面との段差が大きくなるのを防止できる。このため、使用者は、支持部３の外表面と物干し竿１１の外表面との段差を気にすることなく、物干し竿１１に物干し補助具１を取り付けた状態で、物干し竿１１に布団やタオルなどを直接掛けることができる。
【００３１】
また、組み立て式の物干し部材の場合には、使用者は、物干し部材を構成する構成物品のうちの物干し竿に対応する構成物品をその端部から物干し差込み口３ａに差し込むとともに、支持部３の空間部３ｃに貫通させる。これにより、物干し補助具１は、物干し部材に設置される。その後、支持部３の中心軸を回転軸として物干し補助具１を物干し竿に対応する構成物品の外表面上で回転させ、物干し部材を組み立てた際にハンガー吊下げ部５が鉛直下方に位置するように物干し補助具１の装着位置を調整する。物干し補助具１がハンガーの回転を抑制できる範囲内に隣りのハンガーが位置しないだけの間隔を設け、図１に示すように、複数の物干し補助具１を同様の手法によって物干し竿に対応する構成物品に取り付ける。その後、物干し補助具１を取り付けた構成物品と残余の構成物品とを組み立てて、組み立て式の物干し部材の組み立ては完了する。その後、干し物が掛けられたハンガーのフックを、フック挿入部５ｃに挿入してフック保持部５ａに引っ掛けて保持させる。
【００３２】
また、物干し補助具１は、手動によって物干し部材の外表面上を移動させることができる。このため、布団などを干す場合には、使用者は好みに応じて、物干し補助具１を物干し部材の端部に移動させることもできる。
【００３３】
以上説明したように、本実施形態による物干し補助具１は、フックの回転を抑制可能なハンガー吊下げ部５を有している。このため、物干し補助具１は、干し物が掛けられたハンガーのフックの回転を仮想平面α内において抑制することができる。これにより、隣り合う干し物は風などで揺り動かされても互いに重ならなくなり、互いに隣り合って物干し竿１１に掛けられた干し物間に効率よく空気が流通するため、干し物の乾燥時間の短縮化を図ることができる。
【００３４】
また、物干し補助具１は、移動防止部７を有している。このため、物干し補助具１は、干し物が風などで揺り動かされても物干し部材の外表面上を移動しないので、隣り合う干し物は風などで揺り動かされても互いに重ならない状態を維持できる。これにより、互いに隣り合って物干し竿１１に掛けられた干し物間に効率よく空気が流通するため、干し物の乾燥時間の短縮化を図ることができる。
【００３５】
本発明は、上記実施の形態に限らず、種々の変形が可能である。
上記実施形態による物干し補助具１のフック保持部５ａは、内壁５ｂの形状に倣う外形形状を有しているが、本発明はこれに限られない。本実施形態による物干し補助具は、フックの側面が接触する部分の形状がフック保持部の内壁と同様の形状を有していれば、フック保持部の外形形状は他の形状であってもよい。図４を用いて説明したとおり、フックの回転を抑制するのは、フック保持部５ａの内壁５ｂであり、外表面はフックの回転の抑制に寄与していない。このため、物干し補助具は、フック保持部の外表面にキャラクターなどの意匠が施されていてもよい。これにより、物干し補助具は、未使用時に物干し部材に取り付けられたままの状態であっても、使用者に邪魔な印象を与えるのを防止できる。
【００３６】
フック保持部５ａは、両端部が支持部３に接続された平板状部材を折り曲げた形状を有しているが、本発明はこれに限られない。例えば、フック保持部は、フックの側面が接触する部分の形状がフック保持部の内壁と同様の形状を有していれば、上記実施形態における全体形状と異なる全体形状を有していてもよい。例えば、フック保持部は、平板状部材の折り曲げ部分の形状が上記実施形態における形状と同様であれば、一方の端部は支持部３に接続されていなくてもよい。すなわち、フック保持部の端部は、内壁の形状が上記実施形態における形状と同様であれば、折り曲げられた鍵形状を有していてもよい。フック保持部の形状がこれらの形状を有していても、物干し補助具は、干し物が掛けられたハンガーのフックの回転を仮想平面α内において抑制することができるので、干し物間に効率よく空気が流通するため、干し物の乾燥時間の短縮化を図ることができる。
【符号の説明】
【００３７】
１  物干し補助具
３  支持部
３ａ  物干し差込口
３ｂ  内壁
３ｂ  空間部
３ｄ  孔部
５  ハンガー吊下げ部
５ａ  フック保持部
５ｂ  内壁
５ｃ  フック挿入部
７  移動防止部
７ａ  基板部
７ｂ  突出部
１１  物干し竿
１５，１７  フック
５１  第１壁面
５３  第２壁面
【図１】
2016010663.tif 000003
【図２】
2016010663.tif 000004
【図３】
2016010663.tif 000005
【図４】
2016010663.tif 000006